(57)【要約】  【課題】  クッションの底付きによる座り心地の問題を生じさせることなく、着座時に自然な姿勢で腰回りをサポートすることができ、長時間の使用によっても疲労を軽減することができるソファを提供する。  【解決手段】  異なる高さ位置に設けられた上側及び下側の固定部１２ａ，１３，６を前後方向に対向配置した座部フレーム１０と、対向する上側及び下側の固定部間１２ａ，１３，６を繋ぎ、互いに離間させて横方向に並ぶように前記座部フレームに設けられた複数の帯状支持部材１５と、前記帯状支持部材１５の上に配置される座クッション６とを備え、横方向に隣り合う帯状支持部材は、互いに上下交互の固定部１２ａ，１３，６に固定されるように、前記座部フレーム１０に設けられている【選択図】  図１
2016144490.tif 000002
【特許請求の範囲】
【請求項１】
異なる高さ位置に設けられた上側及び下側の固定部を前後方向に対向配置した座部フレームと、
対向する上側及び下側の固定部間を繋ぎ、互いに離間させて横方向に並ぶように前記座部フレームに設けられた複数の帯状支持部材と、
前記帯状支持部材の上に配置される座クッションとを備え、
横方向に隣り合う帯状支持部材は、互いに上下交互の前記固定部に固定されるように、前記座部フレームに設けられていることを特徴とする、ソファ。
【請求項２】
前記座部フレームは、枠状の主フレームの内側下方に横方向に伸びる一対の副フレームを備えており、前記上側の固定部は前記主フレームに、下側の固定部は前記副フレームにそれぞれ設けられていることを特徴とする、請求項１に記載のソファ。
【請求項３】
前記帯状支持部材は、長さ方向に伸縮自在の弾性材料で構成されていることを特徴とする、請求項１又は２に記載のソファ。
【請求項４】
前記帯状支持部材は、スプリングで構成されていることを特徴とする、請求項３に記載のソファ。
【請求項５】
前記座部フレームは、複数の前記帯状支持部材に交差するように前記横方向に伸びる連結部材をさらに備えることを特徴とする、請求項１から４のいずれか１つに記載のソファ。
【請求項６】
前記座部フレームに連結する背部フレームと、背部フレームに支持された背クッションをさらに備え、
前記背クッションは、上下に分割されて構成されており、下側の背クッションは、内側クッション材の周囲に相対的に硬質な外側クッションが被覆した構成であることを特徴とする、請求項１から５のいずれか１つに記載のソファ。
【請求項７】
前記座クッションは、前後に分割されて構成されており、奥側のクッションには手前側のクッションよりも柔らかいクッション材が使用されていることを特徴とする、請求項１から６のいずれか１つに記載のソファ。
【請求項８】
前記前後に分割される座クッションは、その境界線が、前記交互に配置される帯状支持部材の交差位置の近傍となるように構成されていることを特徴とする、請求項７に記載のソファ。
【発明の詳細な説明】
【技術分野】
【０００１】
本発明は、ソファに関し、さらに詳しくは、姿勢良く座れて腰への負担が少ないソファに関する。
【背景技術】
【０００２】
従来、リクライニングソファは、特許文献１（特開平１０-２７６８６１号公報）や特許文献２（特開２０００−１１６４５７号公報）に記載されているように、木材や金属パイプを用いてソファのフレームを形成し、該フレームに弾性材などからなるクッション材を貼付けて座及び背もたれとした構成のものが用いられている。
【０００３】
これらのソファの座及び背もたれには、柔らかいクッションが用いられていることが多く、ゆったりと体を預けて座ることができるように構成されている。一方で、座面があまりに柔らかすぎると、腰の位置が一定せず、長時間にわたって座っていると、腰に疲労感を生じさせる場合があることからクッションの硬さや構成などは種々の工夫がなされている。
【０００４】
また、特許文献３（特開平８−２８０４８９号公報）には、座面のクッションの厚みを異ならせて、着座時に臀部の下あたりの部分が低く膝裏近傍が高くなるような身体部分の曲面に沿った起伏を構成し、着座位置が前後にズレないようにサポートすることによって、長時間の使用に対する疲労を軽減できるものが知られている。
【先行技術文献】
【特許文献】
【０００５】
【特許文献１】特開平１０-２７６８６１号公報
【特許文献２】特開２０００−１１６４５７号公報
【特許文献３】特開平８−２８０４８９号公報
【発明の概要】
【発明が解決しようとする課題】
【０００６】
しかし、体の曲面に沿った形状の起伏をクッションの厚みや硬度のみで実現しようとすると、着座時にクッションが変形して底付きを生じる場合があり、座り心地を悪くする問題があった。一方で、クッションの厚みを全体的に厚くし、底付きの問題を改善しようとすると、クッションの厚みが大きくなるため、着座時の安定性が悪くなり、腰のサポート効果が十分に得られないという問題を生じる。
【０００７】
したがって、本発明が解決しようとする技術的課題は、クッションの底付きによる座り心地の問題を生じさせることなく、着座時に自然な姿勢で腰回りをサポートすることができ、長時間の使用によっても疲労を軽減することができるソファを提供することである。
【課題を解決するための手段】
【０００８】
本発明は、上記技術的課題を解決するために、以下の構成のソファを提供する。
【０００９】
本発明のソファは、異なる高さ位置に設けられた上側及び下側の固定部を前後方向に対向配置した座部フレームと、
対向する上側及び下側の固定部間を繋ぎ、互いに離間させて横方向に並ぶように前記座部フレームに設けられた複数の帯状支持部材と、
前記帯状支持部材の上に配置される座クッションとを備え、
横方向に隣り合う帯状支持部材は、互いに上下交互の前記固定部に固定されるように、前記座部フレームに設けられていることを特徴とする。
【００１０】
前記座部フレームは、枠状の主フレームの内側下方に横方向に伸びる一対の副フレームを備えており、前記上側の固定部は前記主フレームに、下側の固定部は前記副フレームにそれぞれ設けられることで、固定部の設置箇所の決定する設計の幅を広げ、隣接する帯状支持部材により形成される座面の凹みの深さを調節することができ、より、着座時の安定性を図ることができる。
【００１１】
前記帯状支持部材を、長さ方向に伸縮自在の弾性材料で構成することにより、座クッション支持面の弾性的変形を許容し、薄手の座クッションを用いた場合でも底付きの問題を解消することができる。帯状支持部材としては、スプリングを好適に用いることが可能である。
【００１２】
前記座部フレームは、複数の前記帯状支持部材に交差するように前記横方向に伸びる連結部材をさらに備えることで、隣り合う帯状支持部材との隙間が調整され、帯状支持部材により構成される座クッションの支持面に座クッションを安定支持することができる。
【００１３】
前記座部フレームに連結する背部フレームと、背部フレームに支持された背クッションをさらに備え、
前記背クッションは、上下に分割されて構成されており、下側の背クッションは、内側クッション材の周囲に相対的に硬質な外側クッションが被覆した構成とすることにより、着座時の背中のサポートをより好適に行うことができる。すなわち、始めに表面にある背クッションにもたれたときに外側クッションで腰を人の背中の形状になじませてしっかり支え、長時間座る際に腰を支えながらも内側クッションが変形して背中をふんわりと包むことができ、着座中に使用者の前後方向の微動に対応することができる。
【００１４】
前記座クッションは、前後に分割されて構成されており、奥側のクッションには手前側のクッションよりも柔らかいクッション材を使用することで、臀部の当接箇所をしっかりとサポートし、座面上の大腿部が沈み込まず、深く体を預けた姿勢で座ることができる。また、前後に分割される座クッションは、その境界線が、前記交互に配置される帯状支持部材の交差位置の近傍となるように構成することが好ましい。
【発明の効果】
【００１５】
本発明によれば、帯状支持部材が交互に上下方向が逆になるように座部フレームに設けられているため、帯状支持部材及び座部フレームにより構成される座クッションの支持面自体が中央部分で前後方向に角度を持つＶ字形に屈曲した形状となるため、座クッションの底付きの問題を生じさせることなく、体型に応じた座面を維持することができる。また、座面をＶ字形にすることにより、平面的な座面と較べて骨盤が立つ状態で着座することができ、さらに、着座時に座クッションにより臀部を包み込んで骨盤が立った状態が持続される。
【００１６】
従って、座クッションの底付きによる座り心地の問題を生じさせることなく、着座時に自然な姿勢で腰回りをサポートすることができ、長時間の使用によっても疲労を軽減することができる
【図面の簡単な説明】
【００１７】
【図１】本発明の実施形態にかかるソファの構成を模式的に示す部分断面斜視図である。
【図２】図１のソファのフレームの構成を示す平面図である。
【図３】図１のソファのフレームの構成を示す正面図である。
【図４】図３のＩＶ−ＩＶ線における断面図である。
【図５】図１のソファのフレームの構成を示す部分拡大図である。
【図６】図１のソファに使用される座クッションの積層構造を示す模式図である。
【図７】図１のソファに着座したときに臀部により座面に加わる力の向きを模式的に示す図である。
【発明を実施するための形態】
【００１８】
以下、本発明の一実施形態に係るソファについて、図面を参照しながら説明する。
【００１９】
図１は、本発明の実施形態にかかるソファの構成を模式的に示す部分断面斜視図である。本実施形態にかかるソファ１は、複数人が横方向に並んで座ることができる、複数人掛けソファである。ソファ１は、図１に示すように、人が腰掛ける座２と、着座時に背中をもたれかける背もたれ３と、両端に設けられた肘をおく肘掛け４から構成されている。
【００２０】
座２、背もたれ３、肘掛け４の内部には、図１に示すような木製のフレーム５が設けられており、当該フレーム５の外側に外装材８が設けられ、さらに、座２及び背もたれ３に座クッション６、背クッション７が配置される。
【００２１】
図２は、本実施形態にかかるソファ１のフレーム５の構成を示す平面図である。図３は、本実施形態にかかるソファ１のフレーム５の構成を示す正面図である。図４は、図３のＩＶ−ＩＶ線における断面図である。フレーム５は、左右両端に設けられた肘掛け４内部に設けられる一対の肘部フレーム９を横方向に離間させて配置し、対向する左右の肘部フレーム９を、座２及び背もたれ３に内蔵される座部フレーム１０及び背部フレーム１１で連結した構成である。
【００２２】
左右一対の肘部フレーム９は、図２，図３に示すように、それぞれ、着座時に肘をおく肘おき部９ａと、肘おき部９ａの左右側面に沿って設けられ、背もたれ３の一部を構成する側板９ｂ、９ｃとを備えている。左右の側板９ｂ、９ｃの間は、上端間が笠木９ｄにより連結されている。肘部フレーム９の肘おき部９ａの周囲には、布張りなどの外装材が施され肘掛け４を構成する。
【００２３】
座部フレーム１０は、図２に示すように、座面とほぼ同寸法に設けられた主フレーム１２と主フレーム１２の内側に設けられる副フレーム１３とを備えている。主フレーム１２は、前後方向に対向する横枠１２ａと横方向に対向する縦枠１２ｂを有する平面視略矩形に構成されている。横枠１２ａは、左右一対の肘部フレーム９の間に設けられた平板である。一方、縦枠１２ｂは、後述するように、帯状支持部材１５の座クッション６の支持面１５ｓ（図４参照）に沿うように、中央部分が低いＶ字形に屈曲した形状である。
【００２４】
主フレーム１２及び副フレーム１３には、後述するように帯状支持部材１５が設けられており、横枠１２ａと縦枠１２ｂ及び帯状支持部材１５の上面に座クッション６を取り付ける。
【００２５】
副フレーム１３は、主フレーム１２の横枠１２ａと略平行に設けられており、主フレーム１２の内側に主フレーム１２の横枠１２ａに対して下方に連結部材１４ａ、１４ｂを介して固定される。
【００２６】
座部フレーム１０には、座クッションを支持する複数の帯状支持部材１５が横方向に隙間を空けて並列配置されている。帯状支持部材１５は、その長手方向に伸縮可能な鋼材をＳ字状に蛇行させて曲げた鋼製バネ（いわゆるＳバネ）が使用されている。隣り合う帯状支持部材１５の間のピッチは、特に限定されるものではないが、ソファ１が想定する使用者の荷重や、Ｓバネの弾性率などを考慮して適宜決定すればよい。
【００２７】
帯状支持部材１５は、座部フレーム１０の主フレーム１２の横枠１２ａ及び副フレーム１３の上面に固定金具１６を介して固定されている。副フレーム１３は、上記の通り、主フレーム１２の横枠１２ａの下側に設けられているため、主フレームの横枠１２ａ及び副フレーム１３の上面は、その高さ位置が異なっている。主フレーム１２の横枠１２ａ及び副フレーム１３の上面及び固定金具１６は、帯状支持部材１５を固定するための上側及び下側の固定部として機能する。
【００２８】
帯状支持部材１５は、その両端が横枠１２ａ及び副フレーム１３の上面に固定されるため、両端の高さ位置が異なって斜めに配置される。さらに、互いに隣り合う帯状支持部材１５との関係では、取り付け位置が上下交互になるように取り付けられる。なお、本実施形態では、帯状支持部材１５は、１本ずつ上下交互に設けられているが、例えば、帯状支持部材１５の設置間隔や強度などに配慮しつつ、複数本おき、例えば２本おきに交互にしてもよい。
【００２９】
このように座部フレーム１０に取り付けられた帯状支持部材１５は、図４に示すように、側方からみると中間部分で交差し、一部分が隣り合う帯状支持部材の下側に入り込むこととなる。このように配置された帯状支持部材１５は、それぞれ、当該交差箇所１５ｃより上側に存在する部分の表面が、座クッション６の支持面１５ｓとして機能する。このように画定された支持面１５ｓの形状は、帯状支持部材１５の交差位置１５ｃ近傍が凹んだＶ字形となり、交差箇所１５ｃの前と後で異なる帯状支持部材１５によって構成される。
【００３０】
座部フレーム１０には、図１に示すように、複数の帯状支持部材１５と交差するように横方向に伸びる２本の布製のウェービングテープ１９が設けられている。本実施形態では、ウェービングテープ１９は、両端が縦枠１２ｂに固定され、それぞれの帯状支持部材１５の上側に配置される。ウェービングテープ１９により、座クッション６の底付き感を軽減することができる。
【００３１】
それぞれの帯状支持部材１５は、その交差箇所１５ｃの近傍において、例えば、紐状の連結部材１９ａにより互いに連結されている。連結部材１９ａの両端は、左右両端の帯状支持部材１５に固定され、その間の中間にある帯状支持部材１５との交差箇所で、これらと固着されている。連結部材１９ａには、座面に局所的な荷重が加わった場合に、Ｓバネで構成された特定の帯状支持部材１５のみが高さ及び左右方向に極度に撓んで隣接するＳバネとの隙間が広がることを防止し、座部クッション６を安定支持することができる。なお、例えば、連結部材１９ａと帯状支持部材１５との固着は、一定の方向、例えば、横方向や奥行き方向のみにはある程度の自由度を持って動くようにしてもよい。連結部材１９ａとしては、ある程度の引っ張り強度を有する材料を用いることができ、鋼、繊維などが好適に使用される。
【００３２】
肘部フレーム９の間に設けられている背部フレーム１１は、図１に示すように縦枠１７ａを備える。背部フレーム１１の厚み寸法は上方に行くに従い小さくなるように構成されており、上端は横枠１７ｂで連結されている。また、縦枠１７ａには、横梁１７ｃが高さ方向に隙間を空けて設けられている。
【００３３】
また、背部フレーム１１には、図１に示すように、背もたれ面に沿って複数本の布製のウェービングテープ１８が上下左右方向に隙間をおいて設けられている。背部フレーム１１及び肘部フレーム９の側板９ｂ，９ｃは一体として、周囲に布貼りなどの外装材８が張られて、当該外装材８の表面に背クッション７が設置される。
【００３４】
座クッション６は、上記のように、座部フレーム１０の横枠１２ａと縦枠１２ｂ及び帯状支持部材１５の上面により構成される座クッション支持面１５ｓの上に配置される。座クッション６は、硬さの異なるウレタン素材が積層した構成であり、表面に布貼りなどの外装材２０が設けられている。
【００３５】
図６は、座クッションの積層構造を示す模式図である。座クッション６は、図１及び図６に示すように最下層２１及び第２層２２は、支持面１５ｓに沿ってＶ字型に構成されており、その表層２３，２４は、互いに交差する帯状支持部材１５の交差位置１５ｃ，すなわち、支持面１５ｓが屈曲する近傍で前後方向に分割され、それぞれが外装材２０で被覆された構成となっている。手前側の表層２３はさらに２層構造（上表層２３ａ，下表層２３ｂ）となっている。
【００３６】
また、手前側の表層２３の上表層２３ａは、座面から、座部フレーム１０の前面側にまで伸び、外装材２０がその表面を被覆する。
【００３７】
座クッションを構成するウレタン素材は、最下層２１及び上表層２３ａが同じやや硬めのウレタン素材で構成されている。また、第２層２２は硬いチップウレタンで構成されており、奥側の表層２４及び下表層２３ｂは柔らかいウレタン素材で構成されている。
【００３８】
このように素材の硬さを異ならせた座クッション６は、着座時に臀部が当接する奥側の表層２４の表面は柔らかく下の第２層２２は硬い素材で構成されているため、着座時に臀部を包み込みかつ、安定した座り心地とすることができる。また、手前側の表層２４の上表層２３ａがやや硬めであるため、座面上の大腿部が沈み込まず、背もたれ３側に体を預けやすく背筋が伸びやすい姿勢で座ることができる。
【００３９】
さらに素材の硬さに加えて、座クッション６の座面は、図７に示すように、前後にそれぞれ角度をつけたＶ字構造となるため、臀部と腰が座面の奧と背もたれにフィットして包み込んで支えられて後に倒れにくく、自然と背筋が伸びた座り姿勢となる。
【００４０】
さらに、座クッションの厚みだけではなく、帯状支持部材１５の取り付け構造により座クッションの支持面１５ｓ自体を屈曲させ、座面に人の身体のラインに沿うような起伏を与えているため、クッションの底付きの発生を抑制すると供に、クッションが厚くなることによる着座時の安定性を損なうこともない。
【００４１】
また、着座時の状態で、前傾姿勢又は背もたれに深くもたれかかるなど、前後への体重移動を伴った場合、支持面１５ｓを確定する帯状支持部材１５が、交差箇所１５ｃの前後で独立して撓むため、支持面１５ｓ自体の形状を変化させ、着座時のサポートを維持することができる。
【００４２】
背クッション７は、図１に示すように、上背クッション２５と下背クッション２６を備え、上下に分割した構成となっている。下背クッション２６は、背骨の曲線に沿って腰との背もたれの隙間を埋めるように、上背クッション２５に較べて若干突出した構成となっており、人間の背中をしっかりとサポートできるように、クッション材が二重構造となっている。
【００４３】
下背クッション２６のクッション材は、内側クッション材２６ａがシリコン綿で構成されており、外側クッション材２６ｂが内側クッション材２６ａよりも相対的に硬質なウレタン素材で構成されている。外側クッション材２６ｂは、着座した人が背もたれ３にもたれている間、ソファの背もたれを人の背の形状になじませかつ支えることで背もたれ姿勢の安定を図ることができるような硬さ及び材質を選択すればよい。また、内側クッション材２６ａは、外側クッション材２６ｂよりも柔らかい素材を選択し、背もたれ開始時に急速に圧縮し、ウレタンの反発による身体ストレスを減少し、さらに、着座中頻繁に起こる身体前後の微動時の反発ストレスを減少する。
【００４４】
この構成により、下背クッション２６のクッション材は、始めに表面にある背クッションにもたれたときに外側クッションで腰を人の背中の形状になじませてしっかり支え、長時間座る際に腰を支えながらも内側クッションが変形して背中をふんわりと包むことができ、着座中に使用者の前後方向の微動に対応して、着座時の背中のサポートをより好適に行うことができる。
【００４５】
以上説明したように、本実施形態にかかるソファによれば、背もたれ３の背クッション７と座クッション６の構成及びＶ字型に屈曲した座面により、背骨の土台となる骨盤が立った状態となり、背筋が自然と伸びた状態で着座することができる。
【００４６】
なお、本発明は上記実施形態に限定されるものではなく、その他種々の態様で実施可能である。例えば、ソファは、複数人掛けの者を例示して説明したが、一人掛けのソファであってもよく、また、肘掛けのない簡易なものであってもよい。
【００４７】
また、帯状支持部材の座フレームの固定に際しては、主フレームと副フレームにそれぞれ両端を固定する構成としたが、この構成に限定されず、１つの帯状支持部材の両端部の固定位置が上下方向に異なる高さであって、隣接する帯状支持部材が上下交互に設けられていればよい。
【００４８】
また、帯状指示部材は、Ｓバネに限定されるものではなく、例えば、布製又はゴム製などの帯状テープなど、帯状に構成されその上に座クッションを支持できるようなものであれば特にその種類は限定されない。
【００４９】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００５０】
１  ソファ
２  座
３  背もたれ
４  肘掛け
５  フレーム
６  座クッション
７  背クッション
８  外装材
９  肘部フレーム
９ａ  肘おき部
９ｂ，９ｃ  側板
９ｄ  笠木
１０  座部フレーム
１１  背部フレーム
１２  主フレーム
１２ａ  横枠
１２ｂ  縦枠
１３  副フレーム
１４ａ，１４ｂ  連結部材
１５  帯状支持部材
１５ｃ  交差位置
１５ｓ  座クッションの支持面
１６  固定金具
１７ａ  縦枠
１７ｂ  笠木
１７ｃ  横梁
１８  ウェービングテープ
１９  ウェービングテープ
１９ａ  連結部材
２０  座クッション外挿材
２１  最下層
２２  第２層
２３  手前側表層
２３ａ  上表層
２３ｂ  下表層
２４  奥側表層
２５  上背クッション
２６  下背クッション
２６ａ  内側クッション材
２６ｂ  外側クッション材
【図１】
2016144490.tif 000003
【図２】
2016144490.tif 000004
【図３】
2016144490.tif 000005
【図４】
2016144490.tif 000006
【図５】
2016144490.tif 000007
【図６】
2016144490.tif 000008
【図７】
2016144490.tif 000009